(57)【要約】【課題】装着時に粘着剤層同士の貼り付きや粘着剤層が意図しない部分に貼り付くことなく、装着時の位置決めをしやすくする。【解決手段】透液性表面シート３と裏面シート２との間に吸収体４が介在され、前記裏面シート２の外面にズレ止め粘着剤層１４が形成された失禁パッド１と、この失禁パッド１を個装する包装シート１６とを含む個装失禁パッドである。前記失禁パッド１は、個装状態で、体液排出部Ｈに対応する部位を頂部１８としてその前後部分がそれぞれ前記透液性表面シート３側に折り畳まれる。また、前記包装シート１６は、前記頂部１８に対応する部位にズレ止め粘着剤層１４との剥離開始端１７を設けている。【選択図】図４
2015123164.tif 000002
【特許請求の範囲】
【請求項１】
透液性表面シートと裏面シートとの間に吸収体が介在され、前記裏面シートの外面にズレ止め粘着剤層が形成された吸収性物品本体と、この吸収性物品本体を個装するとともに、前記ズレ止め粘着剤層を直接的又は剥離シートを介して間接的に剥離可能に覆う包装シートとを含む個装吸収性物品であって、
前記吸収性物品本体は、個装状態で、長手方向の中間部を頂部としてその前後部分がそれぞれ前記透液性表面シート側に折り畳まれ、
前記頂部に対応する部位に、前記ズレ止め粘着剤層を覆うシート材の剥離開始端が設けられていることを特徴とする個装吸収性物品。
【請求項２】
前記ズレ止め粘着剤層が剥離シートによって剥離可能に覆われるとともに、前記剥離シートが複数の接着部にて前記包装シートに固着され、
前記吸収性物品本体の前記頂部に対応する部位に、前記ズレ止め粘着剤層が長手方向に離間するズレ止め間欠部が幅方向に亘って形成され、
前記ズレ止め粘着剤層との剥離開始端近傍に設けられる前記接着部は、吸収性物品本体の長手方向に対し、前記ズレ止め粘着剤層との剥離開始端側の端部が前記ズレ止め粘着剤層の端部と一致するか、前記ズレ止め粘着剤層の端部より前記ズレ止め間欠部側に延在するように設けられている請求項１記載の個装吸収性物品。
【請求項３】
前記吸収性物品本体は、個装状態で、体液排出部に対応する部位又はその近傍を頂部として折り畳まれている請求項１、２いずれかに記載の個装吸収性物品。
【請求項４】
前記ズレ止め粘着剤層との剥離開始端は、吸収性物品本体の前端部より後側に１２ｃｍ〜２０ｃｍの位置に設けられている請求項１〜３いずれかに記載の個装吸収性物品。
【請求項５】
前記ズレ止め粘着剤層は、吸収性物品本体の前後端部まで設けられている請求項１〜４いずれかに記載の個装吸収性物品。
【発明の詳細な説明】
【技術分野】
【０００１】
本発明は、包装シートによって個装された吸収性物品に関する。
【背景技術】
【０００２】
従来より、生理用ナプキン、パンティライナー、おりものシート、失禁パッドなどの吸収性物品Ｎとしては、例えば図１３に示されるように、ポリエチレンラミネート不織布などからなる不透液性裏面シート５０と、不織布または透孔性プラスチックシートなどからなる透液性表面シート５１との間に綿状パルプなどからなる吸収体５２を介在させるとともに、装着状態でのズレ止めを図るために、例えば非肌当接面側（不透液性裏面シート５０の外面）に１または複数条の粘着剤層５３、５３を形成したものが知られている。
【０００３】
前記吸収性物品Ｎを個装するに際しては、図１３及び図１４に示されるように、前記粘着剤層５３、５３を紙又はフィルムからなる剥離シート５４によって被覆するとともに、吸収性物品Ｎの外面側に包装シート５５を配置し、吸収性物品Ｎ、剥離シート５４及び包装シート５５をともに適宜の幅方向折り線５６、５６にて長手方向に三つ折り又は四つ折りとし、側縁部分をヒートシールするとともに、開封部をタグテープ等により止着するようにしていた。
【０００４】
一方、前記吸収性物品Ｎを下着３０に固定する際には、図１５に示されるように、吸収性物品Ｎから包装シート５５及び剥離シート５４を引き剥がし、前記粘着剤層５３、５３を露出させた状態で、吸収性物品Ｎを下着のクロッチ部分に配置し、前記粘着剤層５３、５３を下着の内面に接着するようにする。
【０００５】
このような吸収性物品について、下着への装着性を向上させることなどを目的として、種々の技術が提案されている。例えば、下記特許文献１では、ずれ止め用の粘着剤層を有する吸収性物品が、該粘着層を介して包装材に貼り合わされると共に、該包装材と共に折り曲げられて該包装材で包装されてなる吸収性物品の個装体であって、包装を解いて前記吸収性物品と前記包装材とを引き剥がしていったときの引き剥がし動作を一時的に停止させる規制手段を、前記吸収性物品の端部及び／又は該端部に対向する前記包装材の領域に具備している吸収性物品の個装体が開示されている。
【０００６】
また、下記特許文献２では、肌当接面を使用直前まで衛生的に保護し、また、ショーツ等に固定する際の操作性を向上させ得ることを目的として、包装材の所定箇所を開封し、ウイング部より前方に位置する部分のみを展開した状態において、剥離シートの一部が摘めるようにした吸収性物品の個別包装体が開示されている。
【先行技術文献】
【特許文献】
【０００７】
【特許文献１】特開２００７−３７０号公報
【特許文献２】特開２００６−１８０９９０号公報
【発明の概要】
【発明が解決しようとする課題】
【０００８】
しかしながら、上記特許文献１、２記載のものは、吸収体が介在された本体部分に設けられた粘着剤層を覆う剥離シートの全て又は大部分を引き剥がした状態で下着に装着するようにしているため、粘着剤層が意図しない部分に貼り付くことがあった。
【０００９】
また、一般の失禁パッドや夜用生理用ナプキンなどのように長手方向の長さが２５ｃｍ〜４０ｃｍ程度と長く、三つ折り又は四つ折りなどに折り畳まれた吸収性物品Ｎの場合、剥離シートを引き剥がした際、折り癖により製品が丸まって粘着剤層同士が貼り付いたり粘着剤層が意図しない部分に貼り付いたりすることがあった。
【００１０】
更には、吸収性物品を下着の所定位置に位置決めする際、下着に対して粘着剤層を何度も貼り直す作業を行うと、下着から引き剥がすのが容易でなかったり、広い範囲を下着に接着後に引き剥がすと粘着剤層の粘着力が低下してズレ止めの効力が低下するなどの問題があった。
【００１１】
そこで本発明の主たる課題は、装着時に粘着剤層同士の貼り付きや粘着剤層が意図しない部分に貼り付くことなく、装着時の位置決めをしやすくした個装吸収性物品を提供することにある。
【課題を解決するための手段】
【００１２】
上記課題を解決するために請求項１に係る本発明として、透液性表面シートと裏面シートとの間に吸収体が介在され、前記裏面シートの外面にズレ止め粘着剤層が形成された吸収性物品本体と、この吸収性物品本体を個装するとともに、前記ズレ止め粘着剤層を直接的又は剥離シートを介して間接的に剥離可能に覆う包装シートとを含む個装吸収性物品であって、
前記吸収性物品本体は、個装状態で、長手方向の中間部を頂部としてその前後部分がそれぞれ前記透液性表面シート側に折り畳まれ、
前記頂部に対応する部位に、前記ズレ止め粘着剤層を覆うシート材の剥離開始端が設けられていることを特徴とする個装吸収性物品が提供される。
【００１３】
上記請求項１記載の発明では、前記吸収性物品本体は、長手方向の中間部を頂部としてその前後部分がそれぞれ透液性表面シート側に折り畳まれることによって個装状態とされている。そして、前記頂部に対応する部位に、前記ズレ止め粘着剤層を覆うシート材の剥離開始端が設けられるようにしている。このため、個装吸収性物品を開封し吸収性物品本体を下着に装着するに際しては、前記包装シートを両側に少しだけ展開することによって、前記シート材の剥離開始端を基点として前記ズレ止め粘着剤層を覆っているシート材が取り除かれ、吸収性物品本体の前記頂部付近のズレ止め粘着剤層のみを露出させた状態で、この頂部付近のみを先行的に下着に固定するようにする。このとき、下着に対して、前後の位置や角度などにずれが生じた場合、前記頂部付近の下着との固定を解除して、ずれを調整し再度下着に固定する。位置決めが完了したら、残りの包装シートを前後にそれぞれ剥離して、吸収性物品本体の前後部分をそれぞれ下着に固定する。このように、本個装吸収性物品では、包装シートを全て取り除かずに下着に対して位置決めできるので、ズレ止め粘着剤層が意図しない部分に貼り付いたり、ズレ止め粘着剤層同士がくっつくのが防止できるようになる。また、頂部付近のズレ止め粘着剤層のみを先行的に下着に貼着するので、貼り直しが容易になり、装着時の位置決めがしやすくなる。
【００１４】
前記包装シートは、ズレ止め粘着剤層に対する当接面に対し剥離処理を施した場合には、前記ズレ止め粘着剤層を直接的に剥離可能に覆い、ズレ止め粘着剤層に対する当接面に対し剥離シートを固着した場合には、前記ズレ止め粘着剤層を剥離シートを介して間接的に剥離可能に覆っている。従って、前者のズレ止め粘着剤層が直接的に包装シートによって覆われる場合には、包装シートとズレ止め粘着剤層との剥離開始端が前記頂部に対応する部位に設けられ、後者のズレ止め粘着剤層が剥離シートを介して間接的に包装シートによって覆われる場合には、剥離シートとズレ止め粘着剤層との剥離開始端が前記頂部に対応する部位に設けられている。
【００１５】
請求項２に係る本発明として、前記ズレ止め粘着剤層が剥離シートによって剥離可能に覆われるとともに、前記剥離シートが複数の接着部にて前記包装シートに固着され、
前記吸収性物品本体の前記頂部に対応する部位に、前記ズレ止め粘着剤層が長手方向に離間するズレ止め間欠部が幅方向に亘って形成され、
前記ズレ止め粘着剤層との剥離開始端近傍に設けられる前記接着部は、吸収性物品本体の長手方向に対し、前記ズレ止め粘着剤層との剥離開始端側の端部が前記ズレ止め粘着剤層の端部と一致するか、前記ズレ止め粘着剤層の端部より前記ズレ止め間欠部側に延在するように設けられている請求項１記載の個装吸収性物品が提供される。
【００１６】
上記請求項２記載の発明では、前記ズレ止め粘着剤層が剥離シートによって剥離可能に覆われ、前記剥離シートが複数の接着部にて前記包装シートに固着された構造とした場合において、前記吸収性物品本体の前記頂部に対応する部位に、前記ズレ止め粘着剤層が長手方向に離間するズレ止め間欠部が幅方向に亘って形成され、このとき前記ズレ止め粘着剤層との剥離開始端近傍に設けられる前記接着部は、吸収性物品本体の長手方向に対し、前記ズレ止め粘着剤層との剥離開始端側の端部が前記ズレ止め粘着剤層の端部と一致するか、前記ズレ止め粘着剤層の端部より前記ズレ止め間欠部側に延在するように設けてあるため、開封時に包装シートを展開する際、前記剥離シートとの固定部（接着部）がズレ止め粘着剤層の端部と同一又はズレ止め間欠部側に延在して設けてあるので、剥離シートが包装シートから剥がれてズレ止め粘着剤層側にくっついたままとなることなく、包装シートとともに抵抗なく剥がすことができるようになる。
【００１７】
請求項３に係る本発明として、前記吸収性物品本体は、個装状態で、体液排出部に対応する部位又はその近傍を頂部として折り畳まれている請求項１、２いずれかに記載の個装吸収性物品が提供される。
【００１８】
上記請求項３記載の発明では、個装状態で、吸収性物品本体を体液排出部に対応する部位又はその近傍を頂部として折り畳んであるため、開封時に頂部付近のズレ止め粘着剤層のみを露出させた状態で下着に固定する際、頂部付近が体液排出部又はその近傍に対応するので、装着の目印となって位置決めがしやすくなる。
【００１９】
請求項４に係る本発明として、前記ズレ止め粘着剤層との剥離開始端は、吸収性物品本体の前端部より後側に１２ｃｍ〜２０ｃｍの位置に設けられている請求項１〜３いずれかに記載の個装吸収性物品が提供される。
【００２０】
上記請求項４記載の発明では、一般的な吸収性物品において、体液排出部の位置にズレ止め粘着剤層との剥離開始端を合わせるため、吸収性物品本体の前端部より後側に１２ｃｍ〜２０ｃｍの位置に前記剥離開始端を設けるようにしている。
【００２１】
請求項５に係る本発明として、前記ズレ止め粘着剤層は、吸収性物品本体の前後端部まで設けられている請求項１〜４いずれかに記載の個装吸収性物品が提供される。
【００２２】
上記請求項５記載の発明では、前記ズレ止め粘着剤層を、吸収性物品本体の前後端部まで設けるようにしている。本個装吸収性物品では、剥離シートを全て剥がさずに、頂部付近の一部のズレ止め粘着剤層のみを露出させ、その他のズレ止め粘着剤層が包装シートで覆われた状態で装着でき、その覆われた部分が持手部となるので、吸収性物品本体の前後端部までズレ止め粘着剤層を設けても、ズレ止め粘着剤層が手にくっついたり、意図しない部分にくっついたりすることなく装着できるようになる。また、前記ズレ止め粘着剤層を吸収性物品本体の前後端部まで設けることによって、下着にしっかりと固定でき、装着時のズレが確実に防止できるようになる。
【発明の効果】
【００２３】
以上詳説のとおり本発明によれば、装着時に粘着剤層同士の貼り付きや粘着剤層が意図しない部分に貼り付くことなく、装着時の位置決めがしやすくなる個装吸収性物品が提供できるようになる。
【図面の簡単な説明】
【００２４】
【図１】本発明に係る失禁パッド１の一部破断展開図である。
【図２】そのII−II線矢視図である。
【図３】図１のIII−III線矢視図である。
【図４】個装状態を示す、前後方向の断面図である。
【図５】下着３０への装着要領を示す、前後方向の断面図である。
【図６】頂部１８近傍を示す、前後方向の拡大断面図である。
【図７】他の形態例に係る個装失禁パッドの前後方向の断面図である。
【図８】他の形態例に係る個装失禁パッドの前後方向の断面図である。
【図９】他の形態例に係る失禁パッド１の裏面図である。
【図１０】失禁パッド１の個装要領（その１）を示す平面図である。
【図１１】失禁パッド１の個装要領（その２）を示す縦断面図である。
【図１２】他の形態例に係る失禁パッド１の個装要領を示す平面図である。
【図１３】従来の吸収性物品Ｎを示す展開図である。
【図１４】従来の吸収性物品Ｎの個装要領を示す斜視図である。
【図１５】従来の吸収性物品Ｎの装着状態を示す斜視図である。
【発明を実施するための形態】
【００２５】
以下、本発明の実施の形態について図面を参照しながら詳述すると、
本個装失禁パッドは、失禁パッド１の全長が２５ｃｍ〜４０ｃｍ程度のパルプ量が多く、個装状態で３つ折り以上または４つ折り以上の折り数を多くして個装されるものに特に好適である。本例では、失禁パッドを例に説明するが、夜用生理用ナプキンなど、同様の構造の吸収性物品にも適用可能である。
【００２６】
〔失禁パッド１の基本構造〕
本発明に係る失禁パッド１は、図１〜図３に示されるように、ポリエチレンシートなどからなる不透液性裏面シート２と、尿などを速やかに透過させる透液性表面シート３と、これら両シート２、３間に介装された綿状パルプまたは合成パルプなどからなる吸収体４と、前記吸収体４の形状保持および拡散性向上のために、前記吸収体を囲繞するクレープ紙や不織布等からなる被包シート５と、前記吸収体４の略側縁部を起立基端とし、かつ少なくとも体液排出部位Ｈを含むように長手方向に所定の区間内において肌側に突出して設けられた左右一対の立体ギャザーＢＳ、ＢＳを形成するサイド不織布７、７とから主に構成され、かつ前記吸収体４の周囲においては、その長手方向端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。本失禁パッド１では、必要に応じて前記透液性表面シート３と吸収体４との間に親水性のセカンドシートを配置してもよい。
【００２７】
以下、さらに前記失禁パッド１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２９】
前記吸収体４は、たとえばフラッフ状パルプ等の吸収性繊維と高吸水性ポリマー８とにより構成され、図示例では平面形状がパッド長手方向に長い縦長の略小判形とされている。前記高吸水性ポリマー８は例えば粒状粉とされ、吸収体４を構成するパルプ中に分散混入されている。
【００３０】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本失禁パッド１では、吸収体４を被包シート５で囲繞するため、結果的に透液性表面シート３と吸収体４との間に被包シート５が介在することになり、吸収性に優れる前記被包シート５によって体液を速やかに拡散させるとともに、これら尿等の逆戻りを防止するようになる。前記パルプの目付は、１００ｇ／ｍ２〜６００ｇ／ｍ２、好ましくは２００ｇ／ｍ２〜５００ｇ／ｍ２とするのがよい。
【００３１】
前記高吸水性ポリマー８としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性ポリマーは製造プロセスにおいて、架橋密度および架橋密度勾配を調整することにより吸水力（吸収倍率）と吸水速度の調整が可能である。前記ポリマーの目付は、１５０ｇ／ｍ２〜５００ｇ／ｍ２、好ましくは２００ｇ／ｍ２〜４５０ｇ／ｍ２とするのがよい。
【００３２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記被包シート５は、ティシュー等の紙材あるいは不織布等の透液性のシートを用いることができる。特に、資材の破壊（破れ）が生じにくい不織布を用いるのが好ましい。不織布を用いる場合は、スパンボンド法やＳＭＳ法により加工された不織布、特にＳＭＳ法により加工された不織布が、薄さと強度のバランスに優れる点で好適である。なお、被包シート５は、少なくとも吸収体４の肌当接面側（表面側）の面が撥水性でなければシートの親水度は特に問わない。
【００３４】
本失禁パッド１の表面側両側部にはそれぞれ長手方向に沿って、かつ失禁パッド１の全長に亘ってサイド不織布７，７が設けられ、このサイド不織布７，７の外側部分が側方に延在されるとともに、前記不透液性裏面シート２が側方に延在され、これら側方に延在されたサイド不織布７部分と不透液性裏面シート２部分とをホットメルト接着剤等により接合して側部フラップが形成されている。
【００３５】
前記サイド不織布７としては、重要視する機能の点から撥水処理不織布または親水処理不織布を使用することができる。たとえば、尿等が浸透するのを防止する、あるいは肌触り感を高めるなどの機能を重視するならば、シリコン系、パラフィン系、アルキルクロミッククロリド系撥水剤などをコーティングしたＳＳＭＳやＳＭＳ、ＳＭＭＳなどの撥水処理不織布を用いるのが望ましく、体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるのが望ましい。かかるサイド不織布７としては、天然繊維、合成繊維または再生繊維などを素材として、適宜の加工法によって形成されたものを使用することができる。
【００３６】
前記サイド不織布７、７は、適宜に折り畳まれて、前記吸収体４の略側縁近傍位置を起立基端として肌側に起立する左右一対の内側立体ギャザー１０、１０と、相対的に前記内側立体ギャザー１０より外側に位置するとともに、前記吸収体４よりも側方に延出する不透液性裏面シート２及びサイド不織布７によって形成された肌側に起立する左右一対の外側立体ギャザー１１、１１とからなる２重ギャザー構造の立体ギャザーＢＳを構成している。なお、前記立体ギャザーＢＳは、内側立体ギャザー１０または外側立体ギャザー１１のいずれかのみからなる１重ギャザー構造であっても良いし、サイド不織布７を配設するだけで肌側に起立した立体ギャザー状に形成されなくてもよい。
【００３７】
前記内側立体ギャザー１０および外側立体ギャザー１１の構造についてさらに詳しく説明すると、前記サイド不織布７は、図２に示されるように、幅方向両側端をそれぞれパッド裏面側に折り返して幅方向内側及び幅方向外側にそれぞれ二重シート部分７ａ、７ｂを形成するとともに、前記幅方向内側の二重シート部分７ａ内部に両端または長手方向の適宜の位置が固定された１本または複数本の、図示例では１本の糸状弾性伸縮部材１２が配設されるとともに、前記幅方向外側の二重シート部分７ｂ内部に両端または長手方向の適宜の位置が固定された１本または複数本の、図示例では２本の糸状弾性伸縮部材１３、１３が配設され、前記幅方向内側の二重シート部分７ａの基端部が吸収体４の側部に配設される透液性表面シート３の上面にホットメルト接着剤等により接着されるとともに、幅方向外側の二重シート部分７ｂの基端部が前記吸収体４よりも側方に延出する不透液性裏面シート２の側端部にホットメルト接着剤等により接着されることにより、前記幅方向内側の二重シート部分７ａによって肌側に起立する内側立体ギャザー１０が形成されるとともに、前記幅方向外側の二重シート部分７ｂによって肌側に起立する外側立体ギャザー１１が形成されている。なお、前記サイド不織布７は、パッド長手方向の両端部では、図３に示されるように、前記糸状弾性伸縮部材１２、１３が配設されないとともに、前記幅方向内側の二重シート部分７ａがホットメルト接着剤等によって吸収体４側に接合されている。
【００３８】
図１に示されるように、前記透液性表面シート３と不透液性裏面シート２との間に吸収体４が介在された本体部分の非肌当接面側（不透液性裏面シート２の外面側）には、下着３０に対する固定のために適宜の塗布パターンによって１又は複数条の、図示例では２条のズレ止め粘着剤層１４、１４が形成されている。
【００３９】
前記ズレ止め粘着剤層１４は、個装状態で、剥離シート１５によって剥離可能に覆われている。前記剥離シート１５としては、ズレ止め粘着剤層１４に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００４０】
〔個装失禁パッド〕
上記の構成からなる失禁パッド１は、個装状態で、図４に示されるように、包装シート１６によって個装されている。前記包装シート１６は、失禁パッド１の長手方向と対応する一対の長手側縁と、失禁パッド１の短手方向（幅方向）と対応する一対の短手側縁１６ａ，１６ｂとにより画成される略矩形状のシートとされる。素材的には、不織布やプラスチックフィルムなどを使用することができるが、好ましくは肌触りがよくかつ柔軟性の高い不織布とするのがよい。寸法は、図４に示されるように、長手寸法は失禁パッド１の前後端部をそれぞれ透液性表面シート３側に折り返した状態で失禁パッド１を長手方向に巻回する寸法とほぼ同程度とし、端部において反対側端部の包装シート１６と重なり代が確保されるような寸法で形成される。短手寸法は失禁パッド１の幅寸法に対して、これよりさらに両側で包装シート１６の重なり部分によって側縁シール部が確保される寸法とするのが望ましい。なお、包装シート１６の短手側縁のうち、外層側の端縁（図示例では短手側縁１６ａ）に固定のためのタグテープ１９が設けられている。
【００４１】
前記失禁パッド１は、図４に示されるように、個装状態で、長手方向の中間部を頂部１８としてその前後部分がそれぞれ透液性表面シート３側に折り畳まれている。図４に示される例では、失禁パッド１の長手方向中央部を頂部１８として、前後部分をそれぞれ透液性表面シート３側に折り畳むとともに、この折り畳んだ前後部分の端部をそれぞれ更に透液性表面シート３側に折り畳む、４つ折りで個装されている。
【００４２】
前記包装シート１６は、剥離シート１５を介して間接的に前記ズレ止め粘着剤層１４を剥離可能に覆っている。そして、前記頂部１８に対応する部位に、前記ズレ止め粘着剤層１４を覆う剥離シート１５の剥離開始端１７が設けられている。前記ズレ止め粘着剤層１４との剥離開始端１７とは、失禁パッド１を囲繞する包装シート１６を展開してズレ止め粘着剤層１４を剥離可能に覆う剥離シート１５が取り除かれ、ズレ止め粘着剤層１４の露出が開始する端部のことである。図４に示されるように、包装シート１６で失禁パッド１の周囲を巻回し、包装シート１６の端部同士を重ね合わせた状態で包装した場合、この重ね合わせ部分の外層側の包装シート１６を短手側縁１６ａから展開すると、内層側の包装シート１６の短手側縁１６ｂを越えたところでズレ止め粘着剤層１４との剥離が開始するので、この剥離が開始する端部が前記ズレ止め粘着剤層１４との剥離開始端１７である。
【００４３】
前記包装シート１６は、図４に示されるように、前後端部を折り畳んだ失禁パッド１を長手方向に巻回する１枚のシートから構成することが好ましい。これによって、開封時に包装シート１６を取り除きやすくなる。また、失禁パッド１の前側と後側とで包装シートを分割するなどのように２枚以上のシートから構成することも可能である。
【００４４】
前記剥離シート１５は、前記失禁パッド１の頂部１８に、パッド幅方向に分割線を有する前側と後側とで分割された２枚のシートから構成することが好ましい。前記失禁パッド１の頂部１８において、前側の剥離シート１５ａは、パッド前端Ｆから延在する短手側縁１６ａ側の包装シート１６に対し接着部２０にて接合され、後側の剥離シート１５ｂは、パッド後端Ｂから延在する短手側縁１６ｂ側の包装シート１６に対し接着部２０にて接合されている。これによって、包装シート１６を展開する際、短手側縁１６ａ側の包装シート１６は前側の剥離シート１５ａとともに展開され、短手側縁１６ｂ側の包装シート１６は後側の剥離シート１５ｂとともに展開される。前記剥離シート１５は、ホットメルト接着剤やヒートシール等の複数の接着部２０、２０…にて包装シート１６に接合され、包装シート１６とともに取り除かれる。
【００４５】
かかる個装失禁パッド１を開封して下着３０に装着するに際しては、図５に示されるように、タグテープ１９を取り外し、前記包装シート１６の短手側縁１６ａから包装シート１６を展開するとともに、短手側縁１６ｂから包装シート１６を展開し、失禁パッド１の頂部１８付近のズレ止め粘着剤層１４のみを露出させる。この状態で、ズレ止め粘着剤層１４が露出した頂部１８付近のみを先行的に下着３０に固定するようにする。このとき、下着３０に対して、前後の位置や角度などがずれていた場合、下着３０との固定を解除してずれを調整し再度下着３０に固定する。位置が決まったら、残りの包装シート１６を剥離して、失禁パッド１の前後部分をそれぞれ下着３０に固定する。このように、本個装失禁パッド１では、包装シート１６を全て取り除かずに下着に対する位置決めが先行的にできるので、ズレ止め粘着剤層１４が意図しない部分に貼り付いたり、ズレ止め粘着剤層１４同士がくっつくのが防止できるようになる。また、失禁パッド１の頂部１８付近のズレ止め粘着剤層１４のみを先行的に下着に貼着できるので、貼り直しが容易で、装着時の位置決めがしやすくなる。
【００４６】
本個装失禁パッドでは、図６に示されるように、前記失禁パッド１の頂部１８に対応する部位に、ズレ止め粘着剤層１４が長手方向に（前後に）離間するズレ止め間欠部１４ａが幅方向に亘って形成されるとともに、前記ズレ止め間欠部１４ａと重なる位置に、包装シート１６の端部同士が重なる重なり代のうち内層側の短手側縁１６ｂが位置している。また、前記ズレ止め粘着剤層１４との剥離開始端１７近傍に設けられる接着部２０、２０は、失禁パッド１の長手方向に対し、前記ズレ止め粘着剤層１４との剥離開始端１７側の端部が前記ズレ止め粘着剤層１４の端部と一致するか、前記ズレ止め粘着剤層１４の端部よりズレ止め間欠部１４ａ側に延在するように設けることが好ましい。具体的には、図６に示されるように、失禁パッド１の頂部１８に対応する部位において、ズレ止め粘着剤層１４のズレ止め間欠部１４ａのパッド長手方向の長さＬ１は、５ｍｍ≦Ｌ１≦１０ｍｍで形成するのがよい。この範囲であれば、包装シート１６を展開して失禁パッド１の頂部１８付近を下着３０に装着する際、下着との接着面が十分に確保でき、下着に対する位置決めが確実にできるようになる。一方、Ｌ１が１０ｍｍより大きいと、接着面が足りず、下着に固定しにくくなる。また、前側の剥離シート１５ａと包装シート１６との接着部２０ａの端縁と、ズレ止め粘着剤層１４の端縁との離間距離をＬ２とし、後側の剥離シート１５ｂと包装シート１６との接着部２０ｂの端縁と、ズレ止め粘着剤層１４の端縁との離間距離をＬ３としたときに、０≦Ｌ２、Ｌ３≦５ｍｍとするのがよい。
【００４７】
これにより、開封時に包装シート１６を剥がす際、剥離シート１５との固定部（接着部２０）がズレ止め粘着剤層１４の端部と同一又はズレ止め間欠部１４ａ側に延在して設けられるため、剥離シート１５が包装シート１６から剥がれてズレ止め粘着剤層１４側にくっついたままとなることなく、包装シート１６とともに抵抗なくスムーズに剥がすことができるようになる。
【００４８】
前記失禁パッド１は、個装状態で、体液排出部Ｈに対応する部位又はその近傍を頂部１８として折り畳むことが望ましい。これによって、ズレ止め粘着剤層１４との剥離開始端１７が体液排出部Ｈに対応する部位又はその近傍に設けられるようになり、装着の際に目印となって位置決めがしやすくなる。体液排出部Ｈに対応する部位は、一般的に失禁パッド１の前端から１２ｃｍ〜２０ｃｍの範囲を中心とする領域であるので、ズレ止め粘着剤層１４との剥離開始端１７は、失禁パッド１の前端部Ｆより後側に１２ｃｍ〜２０ｃｍの位置に設けるのがよい。
【００４９】
体液排出部Ｈが失禁パッド１の長手方向中央より前側に位置する場合、前後の折り幅を調整して体液排出部Ｈが失禁パッド１の頂部１８に位置するようにするのが好ましい。このときの失禁パッド１の折り畳み方は、図７に示されるように、同じ四つ折りであっても、前側の折り返し高さが後側の折り返し高さより低くなるように折り畳んでもよいし、図８に示されるように、前端部分を折り返さずに、後端部分のみを折り返す三つ折りとしてもよい。
【００５０】
前記ズレ止め粘着剤層１４は、一般的な失禁パッドのように吸収体が介在する本体部分のみに設けてもよいが、本失禁パッド１では、図９に示されるように、失禁パッド１の前後端部まで設けることが可能である。本個装失禁パッドでは、前述の通り、剥離シート１５を全て取り除かずに、一部の頂部１８付近のズレ止め粘着剤層１４のみを露出させ、その他のズレ止め粘着剤層１４が包装シート１６で覆われた状態で装着でき、その覆われた部分を持手部とすることができるので、失禁パッド１の前後端部までズレ止め粘着剤層１４を設けても、ズレ止め粘着剤層１４が手にくっついたりすることなく装着できるようになる。また、前記ズレ止め粘着剤層１４を失禁パッド１の前後端部まで設けることによって、失禁パッド１を下着にしっかりと固定でき、装着時のズレが確実に防止できるようになる。
【００５１】
前記ズレ止め粘着剤層１４の平面パターンは、少なくとも体液排出部Ｈに対応する部位にズレ止め間欠部１４ａが形成されたパターンであれば、図９(A)に示されるように、長手方向に連続するパターンでもよいし、同図９(B)に示されるように、長手方向に対し粘着剤層と離間部とが交互に配置された間欠パターンでもよいし、同図９(C)に示されるように、吸収体４の幅とほぼ同等の長さで形成されたパッド幅方向に沿う粘着剤層をパッド長手方向に離間して複数配置したパターンとしてもよい。
【００５２】
以上の構成からなる失禁パッド１を個装するに際しては、図４に示される四つ折りの場合、図１０に示されるように、ズレ止め粘着剤層１４が剥離シート１５によって覆われた状態で、失禁パッド１の前後端部をそれぞれ剥離シート１５とともに折り線Ｓ１、Ｓ２にて透液性表面シート３側に折り畳む。この前後端部を折り畳んだ状態で、図１１に示されるように、失禁パッド１及び剥離シート１５をパッド長手方向に巻回するように、剥離シート１５の外面側に包装シート１６をホットメルト接着剤等によって接着する。その後、長手方向中央部の幅方向折り線Ｓ３にて、失禁パッド１を剥離シート１５及び包装シート１６とともに２つに折り畳み、幅方向折り線Ｓ３位置に頂部１８を形成する。しかる後、包装シート１６の開口した側縁部分をエンボス圧着、加熱融着、接着剤等、適宜の封鎖手段の単独または組み合わせによって封鎖するようにする。また、包装シート１６同士の重なり代において、外層側の包装シート１６の短手側縁１６ａは、好ましくは接着剤により内層側の包装シート１６に接合した後、タグテープ１９により封止する。
【００５３】
〔他の形態例〕
(1)上記形態例では、ズレ止め粘着剤層１４が剥離シート１５によって剥離可能に覆われていたが、包装シート１６のズレ止め粘着剤層１４に対する当接面に対し剥離処理が施されていれば、剥離シート１５を設けなくてもよい。この場合、包装シート１６がズレ止め粘着剤層１４を直接的に剥離可能に覆うことになり、包装シート１６とズレ止め粘着剤層１４との剥離開始端１７が頂部１８に対応する部位に設けられるようになる。
(2)上記形態例では、図４に示される四つ折りの場合、失禁パッド１の前後端部を透液性表面シート３側に折り畳んだ状態で、包装シート１６によって長手方向に囲繞していたが、この前後端部を長手方向に折り畳む前の展開状態で、包装シート１６によって長手方向に巻回するように囲繞してもよい。
(3)上記形態例では、本体部分の両側部にウイング状フラップを有さない失禁パッド１について説明したが、図１２に示されるように、本体部分の両側部に、側方に突出し装着時に下着のクロッチ部分を巻き込むようにして固定されるウイング状フラップＷ、Ｗが形成された失禁パッド１についても同様に適用できる。更に、図示しないが、ウイング状フラップＷ、Ｗが形成されるとともに、これよりも後部側部分に、臀部側において失禁パッド１の横ずれと体液漏れを防止するためのヒップホールド用フラップが形成された失禁パッド１についても同様に適用できる。
【００５４】
図１２に示されるように、ウイング状フラップＷ、Ｗが形成された失禁パッド１では、ウイング状フラップＷ、Ｗをそれぞれ透液性表面シート３側に折り畳み、ウイング状フラップＷ、Ｗの不透液性裏面シート２側に設けられたウイングズレ止め粘着剤層２１、２１を一体的に覆うウイング用剥離シート２２を設けるようにする。前記ウイング用剥離シート２２は、包装シート１６に固定せずに包装シート１６及び剥離シート１５を取り除いた後、ウイング用剥離シート２２を取り除く２ステップ方式でもよいし、ウイング用剥離シート２２を包装シート１６に接合し、包装シート１６とともにウイング用剥離シート２２が取り除ける１ステップ方式としてもよい。ウイング用剥離シート２２を包装シート１６に接合する場合、これらの固定部２３のパッド長手方向の外方側端部とウイングズレ止め粘着剤層２１の端部との距離Ｌ４が、５ｍｍ≦Ｌ４≦１０ｍｍの範囲で前記固定部２３を設けることが好ましい。この範囲で固定部２３を設けることにより、ウイング用剥離シート２２の端部側から徐々にウイングズレ止め粘着剤層２１とウイング用剥離シート２２とが剥離するようになり、抵抗なくスムーズに剥離できるようになる。なお、前記固定部２３は、図示例ではウイング用剥離シート２２の前側部分に設けられているが、後側部分に設けてもよいし、前側部分及び後側分の２箇所に設けてもよく、前側部分から後側部分にかけて連続的に設けてもよい。
【符号の説明】
【００５５】
１…失禁パッド、２…不透液性裏面シート、３…透液性表面シート、４…吸収体、５…被包シート、７…サイド不織布、８…高吸水性ポリマー、１０…内側立体ギャザー、１１…外側立体ギャザー、１２・１３…糸状弾性伸縮部材、１４…ズレ止め粘着剤層、１５…剥離シート、１６…包装シート、１７…剥離開始端、１８…頂部、１９…タグテープ、２０…接着部、３０…下着
【図１】
2015123164.tif 000003
【図２】
2015123164.tif 000004
【図３】
2015123164.tif 000005
【図４】
2015123164.tif 000006
【図５】
2015123164.tif 000007
【図６】
2015123164.tif 000008
【図７】
2015123164.tif 000009
【図８】
2015123164.tif 000010
【図９】
2015123164.tif 000011
【図１０】
2015123164.tif 000012
【図１１】
2015123164.tif 000013
【図１２】
2015123164.tif 000014
【図１３】
2015123164.tif 000015
【図１４】
2015123164.tif 000016
【図１５】
2015123164.tif 000017